【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
複数の被覆エレメントを備える防波堤若しくは突堤構造物であって、
各被覆エレメントは、ｘ軸、ｙ軸及びｚ軸を有し、
前記ｘ軸、前記ｙ軸及び前記ｚ軸は、直交軸系の仮想軸系を規定し、
前記ｚ軸と前記ｘ軸とで、水平なｚｘ平面を規定し、
前記ｘ軸と前記ｙ軸とで、ｘｙ平面を規定し、
各被覆エレメントは、突出部を有する中央部によって規定され、
前記突出部は、
第一脚部及び第二脚部であり、且つ、
中央部から互いに反対方向に前記ｚ軸方向に突出する二つの鼻部であり、
それにより、前記被覆エレメントは、各々Ｘ字型若しくはＨ字型プレート部の形状を有し、
前記第一脚部及び前記第二脚部は、前記ｘｙ平面上に延在し、
前記第一脚部及び前記第二脚部は、前記中央部に対して反対側から前記ｘ軸方向に延在し、
前記プレート部は、
前記Ｘ字型若しくは前記Ｈ字型によって決定される四つのプレート部脚部と、
前記プレート部に対して直角で、前記プレート部から互いに反対方向に突出する二つのプレート部鼻部と、を有し、
前記プレート部脚部のうちの二つは、前記プレート部の第一対角線上にあり、
残りの二つのプレート部脚部は、前記プレート部の第二対角線上にあり、
前記残りの二つのプレート部脚部は、前記第一脚部及び前記第二脚部を規定し、
前記プレート部の前記第一対角線上に位置する前記二つのプレート部脚部のうち少なくとも一方は、前記プレート部から除去され、
各被覆エレメントは、
前記第一対角線に沿って測った第一寸法と、
前記第二対角線に沿って測った第二寸法と、を有し、
前記第一寸法は、前記第二寸法よりも小さく、
前記複数の被覆エレメントは、水平な列に並べられ、
前記水平な列は、少なくとも一つの水平な列が前記構造物の斜面に沿って少なくとも別の一つの水平な列に対して配置されるように傾斜し、
各列の隣接する各被覆エレメントの鼻部は、一直線上に並び、
各被覆エレメントの前記ｘ軸は、水平に配向され、
前記少なくとも一つの水平な列は、上方の列を規定し、
前記少なくとも別の一つの水平な列は、下方の列を規定し、
前記上方の列のうち少なくとも一列の被覆エレメントは、前記下方の列のうち少なくとも一列の隣接する被覆エレメントの二つの隣接する鼻部上に支持される前記第一脚部をそれぞれ有すると共に、前記下方の列の隣接する被覆エレメントの第二脚部上に支持される前記鼻部をそれぞれ有し、
前記被覆エレメントの前記第二脚部は、前記斜面に支持され、
前記被覆エレメントの前記中央部の底面は、前記上方の列の前記被覆エレメントの重量によって前記下方の列の前記被覆エレメントの前記第二脚部が前記斜面にしっかりと押し付けられるように、前記傾斜から浮いている、構造物。
【請求項２】
各被覆エレメントの前記中央部、前記二つの鼻部、前記第一脚部及び前記第二脚部は、単一部品として形成されている、請求項１に記載の構造物。
【請求項３】
前記第一対角線上にある前記二つのプレート部脚部は、両方とも削除されている、請求項１に記載の構造物。
【請求項４】
前記第一脚部の上側は、前記ｘ軸に対して４５°傾斜している、請求項１に記載の構造物。
【請求項５】
前記ｚ軸方向に見ると、前記プレート部の厚さは、３０ｃｍ〜１５０ｃｍの範囲内である、請求項１に記載の構造物。
【請求項６】
前記第二寸法は、１．２７〜６．３６ｍであり、
前記第一寸法は、前記第二寸法の長さの３５％〜６５％である、請求項１に記載の構造物。
【請求項７】
前記第一脚部の底面は、前記ｚ軸に平行な第一幅を有し、
前記第二脚部の頂面は、前記ｚ軸に平行な第二幅を有し、
前記鼻部は、上方支持面及び下方支持面を有し、
前記上方支持面及び下方支持面は、各鼻部の自由端に隣接し、
前記プレート部に対して直角方向において、前記上方支持面及び下方支持面は、前記第一脚部の前記第一幅及び前記第二脚部の前記第二幅のそれぞれ５０％未満である長さを有する、請求項１に記載の構造物。
【請求項８】
複数の被覆エレメントを備える防波堤若しくは突堤構造物であって、
各被覆エレメントは、ｘ軸、ｙ軸及びｚ軸を有し、これらの軸は、直交軸系の仮想軸系を規定し、前記ｚ軸と前記ｘ軸とで水平なｚｘ平面を規定し、前記ｘ軸と前記ｙ軸とでｘｙ平面を規定し、
各被覆エレメントは、突出部を有する中央部によって規定され、
前記突出部は、
第一脚部、第二脚部及び第三脚部であり、且つ、
中央部から互いに反対方向に前記ｚ軸方向に突出する二つの鼻部であり、
それにより、前記被覆エレメントは、各々Ｘ字型若しくはＨ字型プレート部の形状を有し、
前記第一脚部、前記第二脚部及び前記第三脚部は、前記ｘｙ平面上に延在し、前記第一脚部及び前記第二脚部は、前記中央部に対して反対側から前記ｘ軸方向に延在し、前記第三脚部は、前記ｙ軸方向に上方に延在し、
前記プレート部は、
前記Ｘ字型若しくは前記Ｈ字型によって決定される四つのプレート部脚部と、
前記プレート部に対して直角で、前記プレート部から互いに反対方向に突出する二つのプレート部鼻部と、を有し、
前記プレート部脚部のうちの二つは、前記プレート部の第一対角線上にあり、
残りの二つのプレート部脚部は、前記プレート部の第二対角線上にあり、
前記残りの二つのプレート部脚部は、前記第一脚部及び前記第二脚部を規定し、
前記プレート部の前記第一対角線上に位置する前記二つのプレート部脚部のうち少なくとも一方は、前記プレート部から除去され、
各被覆エレメントは、
前記第一対角線に沿って測った第一寸法と、
前記第二対角線に沿って測った第二寸法と、を有し、
前記第一寸法は、前記第二寸法よりも小さく、
前記複数の被覆エレメントは、水平な列に並べられ、
前記水平な列は、少なくとも一つの水平な列が前記構造物の斜面に沿って少なくとも別の一つの水平な列に対して配置されるように傾斜し、
各列の隣接する各被覆エレメントの鼻部は、一直線上に並び、
各被覆エレメントの前記ｘ軸は、水平に配向され、
前記少なくとも一つの水平な列は、上方の列を規定し、
前記少なくとも別の一つの水平な列は、下方の列を規定し、
前記上方の列のうち少なくとも一列の被覆エレメントは、前記下方の列のうち少なくとも一列の隣接する被覆エレメントの二つの隣接する鼻部上に支持される前記第一脚部をそれぞれ有すると共に、前記下方の列の隣接する被覆エレメントの第二脚部上に支持される前記鼻部をそれぞれ有し、
前記被覆エレメントの前記第二脚部は、前記斜面に支持され、
前記被覆エレメントの前記中央部の底面は、前記上方の列の前記被覆エレメントの重量によって前記下方の列の前記被覆エレメントの前記第二脚部が前記斜面にしっかりと押し付けられるように、前記傾斜から浮いている、構造物。
【請求項９】
各被覆エレメントの前記中央部、前記二つの鼻部、前記第一脚部、前記第二脚部及び前記第三脚部は、単一部品として形成されている、請求項８に記載の構造物。
【請求項１０】
前記第一対角線上にある前記二つのプレート部脚部は、両方とも削除されている、請求項８に記載の構造物。
【請求項１１】
前記第一脚部の上側は、前記ｘ軸に対して４５°傾斜している、請求項８に記載の構造物。
【請求項１２】
前記ｚ軸方向に見ると、前記プレート部の厚さが３０ｃｍ〜１５０ｃｍの範囲内である、請求項８に記載の構造物。
【請求項１３】
前記第二寸法は、１．２７〜６．３６ｍであり、
前記第一寸法は、前記第二寸法の長さの３５％〜６５％である、請求項８に記載の構造物。
【請求項１４】
前記第一脚部の底面は、前記ｚ軸に平行な第一幅を有し、
前記第二脚部の頂面は、前記ｚ軸に平行な第二幅を有し、
前記鼻部は、上方支持面及び下方支持面を有し、
前記上方支持面及び下方支持面は、各鼻部の自由端に隣接し、
前記プレート部に対して直角方向において、前記上方支持面及び下方支持面は、前記第一脚部の前記第一幅及び前記第二脚部の前記第二幅のそれぞれ５０％未満である長さを有する、請求項８に記載の構造物。